(57)【要約】  珪藻土と珪藻土を噴射する圧縮噴射剤とを含む内容物を保持する噴霧装置が開示される。珪藻土が、羽状珪藻の遺物を含む、トコジラミの個体数を抑制する珪藻土の使用も開示される。昆虫の個体数を抑制する方法であって、圧縮噴射剤で珪藻土を表面に噴射するステップを含む方法も開示される。また、噴霧装置を製造する方法、および昆虫の個体数を抑制するのに使用される珪藻土を調製する方法が開示される。【特許請求の範囲】
【請求項１】
珪藻土および圧縮噴射剤を含む内容物を保持する手段であって、圧縮噴射剤が、保持する手段から珪藻土を噴射する、保持する手段と、
噴射剤、および噴射剤によって噴射される珪藻土を、保持する手段から制御可能に放出する手段と、
を備える噴霧装置。
【請求項２】
保持する手段が、内容物を保持するリザーバを画定する剛性容器を備える、請求項１に記載の噴霧装置。
【請求項３】
剛性容器が、金属製の缶を含む、請求項２に記載の噴霧装置。
【請求項４】
制御可能に放出する手段が、弁と、弁を制御可能に開放するアクチュエータと、を備える、請求項１、２、または３に記載の噴霧装置。
【請求項５】
内容物を保持するリザーバを画定する本体であって、内容物が、珪藻土、および珪藻土をリザーバから噴射する圧縮噴射剤を含む、本体と、
噴射剤、および噴射剤によって噴射される珪藻土を、リザーバから制御可能に放出するアクチュエータと、
を備える噴霧装置。
【請求項６】
本体が、リザーバを画定する剛性容器を備える、請求項５に記載の噴霧装置。
【請求項７】
剛性容器が、金属製の缶を含む、請求項６に記載の噴霧装置。
【請求項８】
弁をさらに含み、アクチュエータが、弁を制御可能に開放するよう構成される、請求項５、６、または７に記載の噴霧装置。
【請求項９】
珪藻土が、羽状珪藻の遺物を含む、請求項１から８のいずれか一項に記載の噴霧装置。
【請求項１０】
羽状珪藻が、オビケイソウ綱珪藻を含む、請求項９に記載の噴霧装置。
【請求項１１】
オビケイソウ綱珪藻が、フラギラリア目珪藻を含む、請求項１０に記載の噴霧装置。
【請求項１２】
フラギラリア目珪藻が、フラギラリア科珪藻を含む、請求項１１に記載の噴霧装置。
【請求項１３】
フラギラリア科珪藻が、シネドラ珪藻を含む、請求項１２に記載の噴霧装置。
【請求項１４】
フラギラリア科珪藻が、タブラリア珪藻を含む、請求項１２または１３に記載の噴霧装置。
【請求項１５】
フラギラリア科珪藻が、フラギラリア珪藻を含む、請求項１２、１３、または１４に記載の噴霧装置。
【請求項１６】
珪藻土が、約５マイクロメートル未満の幅と約２０マイクロメートル超の長さとを有する被殻、を有する珪藻の遺物を含む、請求項１から１５のいずれか一項に記載の噴霧装置。
【請求項１７】
珪藻土が、約３マイクロメートル未満の幅と約２０マイクロメートル超の長さとを有する被殻、を有する珪藻の遺物を含む、請求項１から１５のいずれか一項に記載の噴霧装置。
【請求項１８】
珪藻土が、約５マイクロメートル未満の幅と約３０マイクロメートル超の長さとを有する被殻、を有する珪藻の遺物を含む、請求項１から１５のいずれか一項に記載の噴霧装置。
【請求項１９】
珪藻土が、約３マイクロメートル未満の幅と約３０マイクロメートル超の長さとを有する被殻、を有する珪藻の遺物を含む、請求項１から１５のいずれか一項に記載の噴霧装置。
【請求項２０】
珪藻土が、セラトム（商標）ＭＮ−５１を含む、請求項１から１９のいずれか一項に記載の噴霧装置。
【請求項２１】
珪藻土が、熱処理される、請求項１から２０のいずれか一項に記載の噴霧装置。
【請求項２２】
珪藻土が、フラッシュ乾燥される、請求項１から２０のいずれか一項に記載の噴霧装置。
【請求項２３】
珪藻土が、約４８０℃でフラッシュ乾燥される、請求項１から２０のいずれか一項に記載の噴霧装置。
【請求項２４】
珪藻土が、米国ネバダ州クラークステーションの珪藻土を含む、請求項１から２３のいずれか一項に記載の噴霧装置。
【請求項２５】
珪藻土が、サイズ分離された珪藻土の、より小さいサイズの画分である、請求項１から２４のいずれか一項に記載の噴霧装置。
【請求項２６】
より小さいサイズの画分が、サイズが約１１マイクロメートル未満の粒子のより小さいサイズの画分である、請求項２５に記載の噴霧装置。
【請求項２７】
珪藻土が、内容物の少なくとも約３重量％である、請求項１から２６のいずれか一項に記載の噴霧装置。
【請求項２８】
珪藻土が、内容物の少なくとも約５重量％である、請求項１から２６のいずれか一項に記載の噴霧装置。
【請求項２９】
珪藻土が、内容物の少なくとも約７重量％である、請求項１から２６のいずれか一項に記載の噴霧装置。
【請求項３０】
珪藻土が、内容物の約８重量％である、請求項１から２６のいずれか一項に記載の噴霧装置。
【請求項３１】
内容物が、ＰＡ１ｂ関連ペプチドをさらに含む、請求項１から３０のいずれか一項に記載の噴霧装置。
【請求項３２】
内容物が、サポニンをさらに含む、請求項３１に記載の噴霧装置。
【請求項３３】
昆虫の個体数を抑制する、請求項１から３２のいずれか一項に記載の噴霧装置の使用。
【請求項３４】
トコジラミの個体数を抑制する、請求項１から３２のいずれか一項に記載の噴霧装置の使用。
【請求項３５】
トコジラミ科の個体数を抑制する、請求項１から３２のいずれか一項に記載の噴霧装置の使用。
【請求項３６】
キメクス属の個体数を抑制する、請求項１から３２のいずれか一項に記載の噴霧装置の使用。
【請求項３７】
ナンキンムシの個体数を抑制する、請求項１から３２のいずれか一項に記載の噴霧装置の使用。
【請求項３８】
珪藻土が羽状珪藻の遺物を含む、トコジラミの個体数を抑制する珪藻土の使用。
【請求項３９】
珪藻土が、羽状珪藻の遺物を含む、トコジラミ科の個体数を抑制する珪藻土の使用。
【請求項４０】
珪藻土が、羽状珪藻の遺物を含む、キメクス属の個体数を抑制する珪藻土の使用。
【請求項４１】
珪藻土が、羽状珪藻の遺物を含む、ナンキンムシの個体数を抑制する珪藻土の使用。
【請求項４２】
羽状珪藻がオビケイソウ綱珪藻を含む、請求項３８、３９、４０、または４１に記載の珪藻土の使用。
【請求項４３】
オビケイソウ綱珪藻が、フラギラリア目珪藻を含む、請求項４２に記載の珪藻土の使用。
【請求項４４】
フラギラリア目珪藻が、フラギラリア科珪藻を含む、請求項４３に記載の珪藻土の使用。
【請求項４５】
フラギラリア科珪藻が、シネドラ珪藻を含む、請求項４４に記載の珪藻土の使用。
【請求項４６】
フラギラリア科珪藻が、タブラリア珪藻を含む、請求項４４または４５に記載の珪藻土の使用。
【請求項４７】
フラギラリア科珪藻が、フラギラリア珪藻を含む、請求項４４、４５、または４６に記載の珪藻土の使用。
【請求項４８】
珪藻土が、約５マイクロメートル未満の幅と約２０マイクロメートル超の長さとを有する被殻、を有する珪藻の遺物を含む、請求項３８から４７のいずれか一項に記載の珪藻土の使用。
【請求項４９】
珪藻土が、約３マイクロメートル未満の幅と約２０マイクロメートル超の長さとを有する被殻、を有する珪藻の遺物を含む、請求項３８から４７のいずれか一項に記載の珪藻土の使用。
【請求項５０】
珪藻土が、約５マイクロメートル未満の幅と約３０マイクロメートル超の長さとを有する被殻、を有する珪藻の遺物を含む、請求項３８から４７のいずれか一項に記載の珪藻土の使用。
【請求項５１】
珪藻土が、約３マイクロメートル未満の幅と約３０マイクロメートル超の長さとを有する被殻、を有する珪藻の遺物を含む、請求項３８から４７のいずれか一項に記載の珪藻土の使用。
【請求項５２】
珪藻土が、セラトム（商標）ＭＮ−５１を含む、請求項３８から５１のいずれか一項に記載の珪藻土の使用。
【請求項５３】
珪藻土が、熱処理される、請求項３８から５２のいずれか一項に記載の珪藻土の使用。
【請求項５４】
珪藻土が、フラッシュ乾燥される、請求項３８から５２のいずれか一項に記載の珪藻土の使用。
【請求項５５】
珪藻土が、約４８０℃でフラッシュ乾燥される、請求項３８から５２のいずれか一項に記載の珪藻土の使用。
【請求項５６】
珪藻土が、米国ネバダ州クラークステーションの珪藻土を含む、請求項３８から５５のいずれか一項に記載の珪藻土の使用。
【請求項５７】
珪藻土が、サイズ分離された珪藻土の、より小さいサイズの画分である、請求項３８から５６のいずれか一項に記載の珪藻土の使用。
【請求項５８】
より小さいサイズの画分が、サイズが約１１マイクロメートル未満の粒子の、より小さいサイズの画分である、請求項５７に記載の珪藻土の使用。
【請求項５９】
珪藻土と混ぜたＰＡ１ｂ関連ペプチドを使用することをさらに含む、請求項３８から５８のいずれか一項に記載の珪藻土の使用。
【請求項６０】
珪藻土と混ぜたサポニンを使用することをさらに含む、請求項５９に記載の珪藻土の使用。
【請求項６１】
トコジラミの個体数を抑制する方法であって、トコジラミを、羽状珪藻の遺物を含む珪藻土に曝すステップを含む、方法。
【請求項６２】
トコジラミ科の個体数を抑制する方法であって、トコジラミ科を、羽状珪藻の遺物を含む珪藻土に曝すステップを含む、方法。
【請求項６３】
キメクス属の個体数を抑制する方法であって、キメクス属を、羽状珪藻の遺物を含む珪藻土に曝すステップを含む、方法。
【請求項６４】
ナンキンムシの個体数を抑制する方法であって、ナンキンムシを、羽状珪藻の遺物を含む珪藻土に曝すステップを含む、方法。
【請求項６５】
羽状珪藻が、オビケイソウ綱珪藻を含む、請求項６１、６２、６３、または６４に記載の方法。
【請求項６６】
オビケイソウ綱珪藻が、フラギラリア目珪藻を含む、請求項６５に記載の方法。
【請求項６７】
フラギラリア目珪藻が、フラギラリア科珪藻を含む、請求項６６に記載の方法。
【請求項６８】
フラギラリア科珪藻が、シネドラ珪藻を含む、請求項６７に記載の方法。
【請求項６９】
フラギラリア科珪藻が、タブラリア珪藻を含む、請求項６７または６８に記載の方法。
【請求項７０】
フラギラリア科珪藻が、フラギラリア珪藻を含む、請求項６７、６８、または６９に記載の方法。
【請求項７１】
珪藻土が、約５マイクロメートル未満の幅と約２０マイクロメートル超の長さとを有する被殻、を有する珪藻の遺物を含む、請求項６１から７０のいずれか一項に記載の方法。
【請求項７２】
珪藻土が、約５マイクロメートル未満の幅と約２０マイクロメートル超の長さとを有する被殻、を有する珪藻の遺物を含む、請求項６１から７０のいずれか一項に記載の方法。
【請求項７３】
珪藻土が、約３マイクロメートル未満の幅と約２０マイクロメートル超の長さとを有する被殻、を有する珪藻の遺物を含む、請求項６１から７０のいずれか一項に記載の方法。
【請求項７４】
珪藻土が、約５マイクロメートル未満の幅と約３０マイクロメートル超の長さとを有する被殻、を有する珪藻の遺物を含む、請求項６１から７０のいずれか一項に記載の方法。
【請求項７５】
珪藻土が、セラトム（商標）ＭＮ−５１を含む、請求項６１から７４のいずれか一項に記載の方法。
【請求項７６】
珪藻土が、熱処理される、請求項６１から７５のいずれか一項に記載の方法。
【請求項７７】
珪藻土が、フラッシュ乾燥される、請求項６１から７５のいずれか一項に記載の方法。
【請求項７８】
珪藻土が、約４８０℃でフラッシュ乾燥される、請求項６１から７５のいずれか一項に記載の方法。
【請求項７９】
珪藻土が、米国ネバダ州クラークステーションの珪藻土を含む、請求項６１から７８のいずれか一項に記載の方法。
【請求項８０】
珪藻土が、サイズ分離された珪藻土の、より小さいサイズの画分である、請求項６１から７９のいずれか一項に記載の方法。
【請求項８１】
より小さいサイズの画分が、サイズが約１１マイクロメートル未満の粒子のより小さいサイズの画分である、請求項８０に記載の方法。
【請求項８２】
珪藻土と混ぜたＰＡ１ｂ関連ペプチドを使用することをさらに含む、請求項６１から８１のいずれか一項に記載の方法。
【請求項８３】
珪藻土と混ぜたサポニンを使用することをさらに含む、請求項８２に記載の方法。
【請求項８４】
昆虫の個体数を抑制する方法であって、圧縮噴射剤で珪藻土を表面に噴射するステップを含む方法。
【請求項８５】
昆虫が、トコジラミを含む、請求項８４に記載の方法。
【請求項８６】
トコジラミが、トコジラミ科を含む、請求項８５に記載の方法。
【請求項８７】
トコジラミが、キメクス属を含む、請求項８５または８６に記載の方法。
【請求項８８】
トコジラミが、ナンキンムシを含む、請求項８５、８６、または８７に記載の方法。
【請求項８９】
圧縮噴射剤で噴射するステップが、圧縮噴射剤を制御可能に放出するステップを含む、請求項８４から８８のいずれか一項に記載の方法。
【請求項９０】
制御可能に放出するステップが、圧縮噴射剤に流体連通する弁を制御するステップを含む、請求項８９に記載の方法。
【請求項９１】
弁を制御するステップが、弁に連通するアクチュエータを作動させるステップを含む、請求項９０に記載の方法。
【請求項９２】
珪藻土の少なくとも一部のサイズを低減させるステップをさらに含む、請求項８４から９１のいずれか一項に記載の方法。
【請求項９３】
珪藻土の少なくとも一部のサイズを低減させるステップが、珪藻土が入っている容器を振盪させるステップを含む、請求項９２に記載の方法。
【請求項９４】
圧縮噴射剤で珪藻土を噴射するステップが、珪藻土の少なくとも一部のサイズを低減させるステップを含む、請求項８４から９３のいずれか一項に記載の方法。
【請求項９５】
珪藻土が、羽状珪藻の遺物を含む、請求項８４から９４のいずれか一項に記載の方法。
【請求項９６】
羽状珪藻が、オビケイソウ綱珪藻を含む、請求項９５に記載の方法。
【請求項９７】
オビケイソウ綱珪藻が、フラギラリア目珪藻を含む、請求項９６に記載の方法。
【請求項９８】
フラギラリア目珪藻が、フラギラリア科珪藻を含む、請求項９７に記載の方法。
【請求項９９】
フラギラリア科珪藻が、シネドラ珪藻を含む、請求項９８に記載の方法。
【請求項１００】
フラギラリア科珪藻が、タブラリア珪藻を含む、請求項９８または９９に記載の方法。
【請求項１０１】
フラギラリア科珪藻が、フラギラリア珪藻を含む、請求項９８、９９、または１００に記載の方法。
【請求項１０２】
珪藻土が、約５マイクロメートル未満の幅と約２０マイクロメートル超の長さとを有する被殻、を有する珪藻の遺物を含む、請求項８４から１０１のいずれか一項に記載の方法。
【請求項１０３】
珪藻土が、約５マイクロメートル未満の幅と約２０マイクロメートル超の長さとを有する被殻、を有する珪藻の遺物を含む、請求項８４から１０１のいずれか一項に記載の方法。
【請求項１０４】
珪藻土が、約３マイクロメートル未満の幅と約２０マイクロメートル超の長さとを有する被殻、を有する珪藻の遺物を含む、請求項８４から１０１のいずれか一項に記載の方法。
【請求項１０５】
珪藻土が、約５マイクロメートル未満の幅と約３０マイクロメートル超の長さとを有する被殻、を有する珪藻の遺物を含む、請求項８４から１０１のいずれか一項に記載の方法。
【請求項１０６】
珪藻土が、セラトム（商標）ＭＮ−５１を含む、請求項８４から１０６のいずれか一項に記載の方法。
【請求項１０７】
珪藻土が、熱処理される、請求項８４から１０６のいずれか一項に記載の方法。
【請求項１０８】
珪藻土が、フラッシュ乾燥される、請求項８４から１０６のいずれか一項に記載の方法。
【請求項１０９】
珪藻土が、約４８０℃でフラッシュ乾燥される、請求項８４から１０６のいずれか一項に記載の方法。
【請求項１１０】
珪藻土が、米国ネバダ州クラークステーションの珪藻土を含む、請求項８４から１０９のいずれか一項に記載の方法。
【請求項１１１】
珪藻土が、サイズ分離された珪藻土の、より小さいサイズの画分である、請求項８４から１１０のいずれか一項に記載の方法。
【請求項１１２】
より小さいサイズの画分が、サイズが約１１マイクロメートル未満の粒子の、より小さいサイズの画分である、請求項１１１に記載の方法。
【請求項１１３】
圧縮噴射剤で珪藻土を表面に噴射するステップが、圧縮噴射剤でＰＡ１ｂ関連ペプチドを表面に噴射するステップを含む、請求項８４から１１２のいずれか一項に記載の方法。
【請求項１１４】
圧縮噴射剤で珪藻土を表面に噴射するステップが、圧縮噴射剤でサポニンを表面に噴射するステップを含む、請求項１１３に記載の方法。
【請求項１１５】
噴霧装置を製造する方法であって、珪藻土のより小さいサイズの画分を、噴霧装置に添加するステップを含む、方法。
【請求項１１６】
珪藻土を、より小さいサイズの画分と、より大きいサイズの画分と、にサイズ分離するステップをさらに含む、請求項１１５に記載の方法。
【請求項１１７】
より小さいサイズの画分が、サイズが約１１マイクロメートル未満の粒子の、より小さいサイズの画分である、請求項１１５または１１６に記載の方法。
【請求項１１８】
昆虫の個体数を抑制するのに使用される珪藻土を調製する方法であって、珪藻土を、より小さいサイズの画分と、より大きいサイズの画分と、にサイズ分離するステップを含む方法。
【請求項１１９】
より小さいサイズの画分が、サイズが約１１マイクロメートル未満の粒子の、より小さいサイズの画分である、請求項１１８に記載の方法。
【請求項１２０】
昆虫が、トコジラミを含む、請求項１１８または１１９に記載の方法。
【請求項１２１】
トコジラミが、トコジラミ科を含む、請求項１２０に記載の方法。
【請求項１２２】
トコジラミが、キメクス属を含む、請求項１２０または１２１に記載の方法。
【請求項１２３】
トコジラミが、ナンキンムシを含む、請求項１２０、１２１、または１２２に記載の方法。
【請求項１２４】
珪藻土が、羽状珪藻の遺物を含む、請求項１１５から１２３のいずれか一項に記載の方法。
【請求項１２５】
羽状珪藻が、オビケイソウ綱珪藻を含む、請求項１２４に記載の方法。
【請求項１２６】
オビケイソウ綱珪藻が、フラギラリア目珪藻を含む、請求項１２５に記載の方法。
【請求項１２７】
フラギラリア目珪藻が、フラギラリア科珪藻を含む、請求項１２６に記載の方法。
【請求項１２８】
フラギラリア科珪藻が、シネドラ珪藻を含む、請求項１２７に記載の方法。
【請求項１２９】
フラギラリア科珪藻が、タブラリア珪藻を含む、請求項１２７または１２８に記載の方法。
【請求項１３０】
フラギラリア科珪藻が、フラギラリア珪藻を含む、請求項１２７、１２８、または１２９に記載の方法。
【請求項１３１】
珪藻土が、約５マイクロメートル未満の幅と約２０マイクロメートル超の長さとを有する被殻、を有する珪藻の遺物を含む、請求項１１５から１３０のいずれか一項に記載の方法。
【請求項１３２】
珪藻土が、約５マイクロメートル未満の幅と約２０マイクロメートル超の長さとを有する被殻、を有する珪藻の遺物を含む、請求項１１５から１３０のいずれか一項に記載の方法。
【請求項１３３】
珪藻土が、約３マイクロメートル未満の幅と約２０マイクロメートル超の長さとを有する被殻を有する珪藻の遺物を含む、請求項１１５から１３０のいずれか一項に記載の方法。
【請求項１３４】
珪藻土が、約５マイクロメートル未満の幅と約３０マイクロメートル超の長さとを有する被殻、を有する珪藻の遺物を含む、請求項１１５から１３０のいずれか一項に記載の方法。
【請求項１３５】
珪藻土が、セラトム（商標）ＭＮ−５１を含む、請求項１１５から１３４のいずれか一項に記載の方法。
【請求項１３６】
珪藻土が、熱処理される、請求項１１５から１３５のいずれか一項に記載の方法。
【請求項１３７】
珪藻土が、フラッシュ乾燥される、請求項１１５から１３５のいずれか一項に記載の方法。
【請求項１３８】
珪藻土が、約４８０℃でフラッシュ乾燥される、請求項１１５から１３５のいずれか一項に記載の方法。
【請求項１３９】
珪藻土が、米国ネバダ州クラークステーションの珪藻土を含む、請求項１１５から１３８のいずれか一項に記載の方法。
【請求項１４０】
ＰＡ１ｂ関連ペプチドを、より小さいサイズの画分と混ぜるステップをさらに含む、請求項１１５から１３９のいずれか一項に記載の方法。
【請求項１４１】
サポニンを、より小さいサイズの画分と混ぜるステップをさらに含む、請求項１４０に記載の方法。
【発明の詳細な説明】
【技術分野】
【０００１】
[関連出願]
本出願は、２０１１年１１月２３日に出願した米国仮特許出願第６１／５６３，２２０号の利益および優先権と、２０１２年４月２６日にカナダのＰＣＴ受理官庁に出願したＰＣＴ国際特許出願第ＰＣＴ／ＣＡ２０１２／０００３８９号の利益および優先権とを主張するものである。２０１１年１１月２３日に出願した米国仮特許出願第６１／５６３，２２０号および２０１２年４月２６日にカナダのＰＣＴ受理官庁に出願したＰＣＴ国際特許出願第ＰＣＴ／ＣＡ２０１２／０００３８９号の両方の内容全体を、参照により本明細書に組み込む。
【０００２】
本発明は概して昆虫の個体数の抑制に関し、より詳細には、噴霧装置、珪藻土の使用、および昆虫の個体数を抑制する方法に関する。
【背景技術】
【０００３】
例えば「トコジラミ」として一般に知られる昆虫などの多くの昆虫は、世界の多くの地域で害虫となっている。例えば建物でのトコジラミの蔓延は、建物からトコジラミを除去するためにしばしば家具を破壊しかつ交換しなければならないので、非常に損害の大きいものである。さらに、例えばホテルなどのいくつかの公共施設の場合、トコジラミ害虫の除去のためにホテルの大部分または全てを閉鎖することは、収益に著しい損失をもたらす可能性がある。
【０００４】
トコジラミの個体数を抑制するいくつかの既知の方法では、合成駆除剤を使用するが、いくつかの駆除剤は、人間および他の生命に有害である可能性がある。トコジラミの個体数を抑制する他の既知の方法は、珪藻土、即ち珪藻が化石化した遺物を含む天然に存在する珪質堆積岩を付着させることを含む。
【先行技術文献】
【特許文献】
【０００５】
【特許文献１】米国特許第６，３９４，３２１号明細書
【特許文献２】米国特許第６，５８１，８０７号明細書
【特許文献３】米国特許第８，１０１，４０８号明細書
【特許文献４】ＰＣＴ国際特許出願第ＰＣＴ／ＣＡ２０１２／０００３８９号
【発明の概要】
【発明が解決しようとする課題】
【０００６】
しかしながら、珪藻土を付着させる既知の方法は、煩雑になる可能性がある。例えば、珪藻土を付着させる既知の方法は、望ましくないことであるが例えばアプリケータのない容器から珪藻土を別のアプリケータ装置に移すために、珪藻土を取り扱わなければならなくなる可能性がある。また、既知のアプリケータ装置は珪藻土を不均等に付着させる可能性があり、不経済なまたは効果のないものになり得る。一般に、珪藻土を付着させる既知の方法は、専門家の関与が必要となるように十分複雑になる可能性があり、望ましくないことであるがコストが増大しかつトコジラミの処理が遅れる可能性がある。
【０００７】
また、非常に数多くのタイプの珪藻土が利用可能であり、種々のタイプの珪藻土は互いに広範にかつ有意に異なっている。約１００，０００種の現存する珪藻種があると推定され、いくつかの珪藻土は、１種または複数の珪藻種の多様な組合せを含んでいてもよく、現存種の数に加えて絶滅種を含んでいてもよい。珪藻骨格（「被殻」と呼んでもよい。）は、非常に多数の珪藻種全体にわたってそのサイズおよび形状が広範にかつ有意に異なる可能性がある。また、異なる昆虫種は、異なるタイプの珪藻土によって著しく異なる状態で影響を受ける可能性のある、異なる体部を有する。したがって、多くの種類の珪藻土が利用可能であり、１つのタイプの昆虫の個体数を抑制するのに効果的な、ある種類の珪藻土は、別のタイプの昆虫の個体数を抑制するのに効果的とはされずまたは決して効果的とはされなくなる可能性がある。
【課題を解決するための手段】
【０００８】
１つの例示的な実施形態によれば、珪藻土および圧縮噴射剤を含む内容物を保持する手段であって、圧縮噴射剤は、保持する手段から珪藻土を噴射する、保持する手段と、噴射剤、および噴射剤によって噴射される珪藻土を、保持する手段から制御可能に放出する手段と、を含む、噴霧装置が提供される。
【０００９】
別の例示的な実施形態によれば、内容物を保持するリザーバを画定する本体であって、内容物は、珪藻土、および珪藻土をリザーバから噴射する圧縮噴射剤を含む本体と、噴射剤、および噴射剤によって噴射される珪藻土を、リザーバから制御可能に放出するアクチュエータと、を含む、噴霧装置が提供される。
【００１０】
別の例示的な実施形態によれば、珪藻土が、羽状珪藻の遺物（remains）を含む、トコジラミの個体数を抑制する珪藻土の使用が提供される。
【００１１】
別の例示的な実施形態によれば、珪藻土が、羽状珪藻の遺物を含む、トコジラミ科（Cimicidae）の個体数を抑制する珪藻土の使用が提供される。
【００１２】
別の例示的な実施形態によれば、珪藻土が、羽状珪藻の遺物を含む、キメクス属（Cimex）の個体数を抑制する珪藻土の使用が提供される。
【００１３】
別の例示的な実施形態によれば、珪藻土が、羽状珪藻の遺物を含む、ナンキンムシ（Cimex lectularius）の個体数を抑制する珪藻土の使用が提供される。
【００１４】
別の例示的な実施形態によれば、トコジラミの個体数を抑制する方法であって、トコジラミ（bedbugs）を、羽状珪藻の遺物を含む珪藻土に曝すステップを含む、方法が提供される。
【００１５】
別の例示的な実施形態によれば、トコジラミ科の個体数を抑制する方法であって、トコジラミ科を、羽状珪藻の遺物を含む珪藻土に曝すステップを含む、方法が提供される。
【００１６】
別の例示的な実施形態によれば、キメクス属の個体数を抑制する方法であって、キメクス属を、羽状珪藻の遺物を含む珪藻土に曝すステップを含む、方法が提供される。
【００１７】
別の例示的な実施形態によれば、ナンキンムシの個体数を抑制する方法であって、ナンキンムシを、羽状珪藻の遺物を含む珪藻土に曝すステップを含む、方法が提供される。
【００１８】
別の例示的な実施形態によれば、昆虫（insect）の個体数を抑制する方法であって、圧縮噴射剤で珪藻土を表面に噴射するステップを含む、方法が提供される。
【００１９】
別の例示的な実施形態によれば、噴霧装置を製造する方法であって、珪藻土の、より小さいサイズの画分を、噴霧装置に添加するステップを含む方法が、提供される。
【００２０】
別の例示的な実施形態によれば、昆虫の個体数を抑制するのに使用される珪藻土を調製する方法であって、珪藻土を、より小さいサイズの画分とより大きいサイズの画分とにサイズ分離するステップを含む方法が提供される。
【００２１】
本発明の他の態様および特徴は、例示的な実施形態の下記の記述を添付図面と併せて検討することにより、当業者に明らかにされよう。
【図面の簡単な説明】
【００２２】
【図１】一の例示的な実施形態に係る噴霧装置の断面図である。
【図２】セラトム（商標）ＭＮ−５１として既知の珪藻土の二次電子画像を示す図である。
【図３】セラトム（商標）ＭＮ−５１として既知の珪藻土の二次電子画像を示す図である。
【図４】セラトム（商標）ＭＮ−５１として既知の珪藻土の二次電子画像を示す図である。
【図５】セラトム（商標）ＭＮ−５１として既知の珪藻土の二次電子画像を示す図である。
【図６】セラトム（商標）ＭＮ−５１として既知の珪藻土の、リートベルト精密化プロットを示す図である。
【図７】セラトム（商標）ＭＮ−５１として既知の珪藻土の、粒度分布のグラフを示す図である。
【図８】セラトム（商標）ＭＮ−５３として既知の珪藻土の二次電子画像を示す図である。
【図９】セラトム（商標）ＭＮ−５３として既知の珪藻土の、リートベルト精密化プロットを示す図である。
【図１０】アルパイン（商標）ダストとして既知の珪藻土の二次電子画像を示す図である。
【図１１】アルパイン（商標）ダストとして既知の珪藻土の、リートベルト精密化プロットを示す図である。
【図１２】マザーアース（商標）Ｄとして既知の珪藻土の二次電子画像を示す図である。
【図１３】マザーアース（商標）Ｄとして既知の珪藻土の、リートベルト精密化プロットを示す図である。
【図１４】マザーアース（商標）Ｄとして既知の珪藻土の粒度分布のグラフを示す図である。
【図１５】プロアクティブ（商標）として既知の珪藻土の二次電子画像を示す図である。
【図１６】プロアクティブ（商標）として既知の珪藻土の二次電子画像を示す図である。
【図１７】プロアクティブ（商標）として既知の珪藻土の二次電子画像を示す図である。
【図１８】プロアクティブ（商標）として既知の珪藻土の、リートベルト精密化プロットを示す図である。
【図１９】セラトム（商標）ＭＮ−５１として既知の珪藻土の、より小さいサイズの画分の走査型電子顕微鏡写真を示す図である。
【図２０】セラトム（商標）ＭＮ−５１として既知の珪藻土の、より大きいサイズの画分の走査型電子顕微鏡写真を示す図である。
【発明を実施するための形態】
【００２３】
Ａ．噴霧装置
図１を参照すると、一の例示的な実施形態に係る噴霧装置が、概して１００で示されている。特許文献１および特許文献２は、粉末を噴霧するのに適切と考えられるエアロゾル容器について説明しており、いくつかの実施形態では、噴霧装置１００は、特許文献１および特許文献２に説明されるとともに図示されたエアロゾル容器の１つに、または粉末を噴霧するのに適切と考えられる他のエアロゾル容器に類似していてもよい。
【００２４】
図示される実施形態の噴霧装置１００は、その内部にリザーバ１０４を画定する本体１０２を含む。本体１０２は、スチール缶を含んでいてもよく、したがって図示される実施形態において本体１０２は剛性容器である。代替の実施形態は、加圧空気を保持する、例えば他の剛性容器など、適切な他の材料を含んでいてもよい。例えば、一実施形態において、本体１０２は、
【００２５】
【数１】
2015500634.tif 000002
として当業者に既知のサイズを有し、内側エポキシコーティングを有し、かつリザーバ１０４が内容物１０６を１７０グラム保持するようにサイズを決めることができる、スチール缶であってもよい。したがって本体１０２は内容物１０６を保持するが、代替の実施形態は、内容物１０６を保持するのに異なる構造を含んでいてもよい。例えば、いくつかの実施形態では、本体１０２は、保護ライナを備えたスズめっきスチール缶を含んでいてもよい。
【００２６】
図示される実施形態では、内容物１０６は珪藻土１０８および噴射剤を含み、この噴射剤は、いくつかの実施形態では、噴射剤Ａ−４６として当業者に既知のイソブタンとプロパンとの混合物であってもよく、いくつかの実施形態では、約７５％のイソブタンおよび約２５％のプロパンを含んでいてもよい。他の実施形態では、噴射剤は、カナダオンタリオ州トロントのBrenntag Canada Inc.から入手可能な噴射剤ブレンドＡ−７０として当業者に既知の液化石油ガスであってもよい。図示される実施形態では、噴射剤は、気相１１０内にあり、珪藻土１０８と混ざった状態で液相１１２内にもある。さらに、図示される実施形態の内容物１０６は、珪藻土１０８と混ぜた未熟成無水アルコール１１４を含む。アルコール１１４は、例えば香料、樹脂、ビトレックス（BITREX）（商標）として既知の製品、または他の製品で変性されていてもよい。アルコール１１４は、例えばＳＤ−４０またはＳＤＡＧ−６として当業者に既知のアルコールを含んでいてもよい。いくつかの実施形態では、そのようなアルコール１１４は、一般に、噴霧装置１００から噴霧されたものを急速に蒸発させることができ、それによって、噴霧装置１００により噴霧された表面（図示せず）には乾燥した珪藻土１０８が残る。
【００２７】
図示される実施形態では、アルコール１１４は、内容物１０６の約５４重量％であり、噴射剤は、内容物１０６の約３８重量％であり、珪藻土１０８は、内容物１０６の約８重量％である。他の実施形態では、例えば、珪藻土１０８は、内容物１０６の少なくとも３重量％、内容物１０６の少なくとも５重量％、または内容物１０６の少なくとも７重量％であってもよく、そのような実施形態では、噴射剤は、内容物１０６の約３８重量％超であってもよく、かつ／またはアルコール１１４は、内容物１０６の約５４重量％超であってもよい。
【００２８】
さらに他の実施形態では、トコジラミの個体数を抑制するのに効果的となり得る他の生成物など、またはより一般には例えば殺虫剤もしくは駆除剤など、珪藻土以外の生成物を、珪藻土１０８と混ぜてもよい。例えば特許文献３は、ＰＡ１ｂ関連ペプチド、テルペノイドサポニン、トリテルペノイドサポニン、大豆サポニンＩ、大豆サポニンＩＩ、大豆サポニンＩＩＩ、大豆サポニンＶＩ、デヒドロ大豆サポニンＩ、エキノシスト酸３−グルコシド、グリシルリジン酸、ヘデラコシドＣ、β−エスチン、α−ヘデリン、および他の酢酸により沈殿させた殺虫成分の１種または複数などの、様々なマメ科抽出物について記述する。様々な実施形態では、そのようなマメ科抽出物を珪藻土１０８と混ぜてもよく、そのような実施形態では、噴射剤は、内容物１０６の約３８重量％未満であってもよく、かつ／またはアルコール１１４は、内容物１０６の約５４重量％未満であってもよい。
【００２９】
当業者なら、内容物１０６は厳密に前述の割合である必要はなく、噴霧装置１００はそれらの成分よりも多いまたは少ない状態で同様に機能することができ、かつこの文脈における「約」は、噴霧装置１００が同様の結果をもたらす状態で機能することが可能な前述の割合の変形例を指すことを意味することが、理解されよう。
【００３０】
噴霧装置１００は、１１６で概略的に図示されるエアロゾル弁アセンブリであって、チューブ１１８と、弁ハウジング１２０の底部でチューブ１１８を受容する弁ハウジング１２０と、弁閉鎖コイルばね１２２と、弁軸１２６の内部に延びる横向き開口１２８を画定する、中空弁軸１２６を有する弁本体１２４とを含む、エアロゾル弁アセンブリも含む。ガスケット１３０は弁軸１２６を取り囲み、エアロゾル弁が閉鎖されると開口１２８を封止する。アクチュエータ１３２は、アクチュエータ１３２の出口ノズル１３４が弁軸１２６の内部と流体連通するように、弁軸１２６の上部に取着されている。
【００３１】
さらにリザーバ１０４は、噴霧装置１００を振盪させたときに内容物１０６の混合を容易にするボールベアリングまたはビー玉１３６を含む。例えば、ある実施形態では、噴霧装置１００を約８から約１０秒間振盪させまたは約１０秒間激しく振盪させて、内容物１０６が噴霧装置１００から噴霧される前に内容物１０６の所望の混合を実現することができる。
【００３２】
当業者なら、噴霧装置１００の非常に数多くの変形例が理解されよう。例えば代替の実施形態は、様々な代替の缶、弁、およびアクチュエータを含んでいてもよい。例えば、ある実施形態は、力を与えるのに適切でありかつ錆びないように上面がコーティングされている弁、例えばPrec. powder valve S.2X.020 Ringed Barb 630 (OAL) (04-0519-42) G.Hex Buna B175 B.080x.030VT 412 Deep MC con. Epon Top Lam. Bot dimp. DT 138mm A-Dとして当業者に既知の弁と、Act..025" NMBU Raised APSL .022 White (21-9116-00-0343)として当業者に既知のアクチュエータとを含んでいてもよい。様々な実施形態は、例えば輸送中などにアクチュエータが意図せず作動しないように、キャップ（図示せず）を含んでいてもよい。代替の実施形態は、例えば種々の噴射剤などの種々の内容物を含んでいてもよい。
【００３３】
噴霧装置１００のいくつかの実施形態または代替の実施形態は、バッチプロセスにより作製されてもよい。以下の記述は、配合生成物１，０００キログラム用の製造プロセスの一例である。まず、無水エチルアルコール５４０キログラムをクリーンな乾燥させたステンレス鋼タンク内に保持し、次いでこの無水エチルアルコールに、バルク濃縮物６２０キログラムが形成されるように均質になるまで空気混合器を使用して中程度に混合しながら、珪藻土粉末８０キログラムをゆっくり添加する（凝集を回避するため）。混合には約１５分を要すると考えられる。次いでバルク濃縮物の一部を、フィルタに通して６８°Ｆ（約２０℃）から７３°Ｆ（約２２．８℃）の間の温度でエアロゾル容器内に計量する。
【００３４】
【数２】
2015500634.tif 000003
として当業者に既知のサイズを有するエアロゾル容器の場合、バルク濃縮物１８６グラムを添加することができ、かつ
【００３５】
【数３】
2015500634.tif 000004
として当業者に既知のサイズを有するエアロゾル容器の場合、バルク濃縮物２４８グラムを添加することができる。
【００３６】
次いで各エアロゾル容器にエアロゾル弁を装着し、水銀１５インチ（約５０．８キロパスカル）から水銀２０インチ（約６７．７キロパスカル）の真空に供することができる。次いで噴射剤（この実施例ではＡ−７０）を、６５°Ｆ（約１８．３℃）から７０°Ｆ（約２１．１℃）間の温度で、かつ６００重量ポンド毎平方インチゲージ（約４，２３８キロパスカル）から６５０重量ポンド毎平方インチゲージ（約４，５８３キロパスカル）の圧力で、各エアロゾル容器内に加圧下で計り取ることができ、次いで各エアロゾル容器を圧着することができる。
【００３７】
【数４】
2015500634.tif 000005
として当業者に既知のサイズを有するエアロゾル容器の場合、噴射剤１１４グラムを添加することができ、かつ
【００３８】
【数５】
2015500634.tif 000006
として当業者に既知のサイズを有するエアロゾル容器の場合、噴射剤１５２グラムを添加することができる。
【００３９】
次いでエアロゾル容器を、１３０°Ｆ（約５４℃）から１４０°Ｆ（約６０℃）の温水浴中に約３０秒間入れて、エアロゾル容器の強度を試験することができる。次いで外側キャップ、ラベル、およびロット番号を各エアロゾル容器上に配置することができ、このエアロゾル容器を、流通用の箱に梱包することができる。ラベルは、例えば、裸火もしくは火花の存在下または喫煙中にエアロゾル容器を使用しないという表示などの事前注意情報、エアロゾル容器は加熱された場合に爆発する可能性があるという警告、５０℃または１２２°Ｆよりも高い温度に曝さないという警告、および穿刺または焼却処分しないという警告を、含んでいてもよい。
【００４０】
操作中に、アクチュエータ１３２が、ばね１２２の力に抗して本体１０２に向かって押されると、開口１２８はガスケット１３０の下を通って開口１２８を制御可能に開放し、したがって内容物１０６は、噴射剤からの圧力下、制御可能にチューブ１１８を通過し、開口１２８を通過し、弁軸１２６内に入り、アクチュエータ１３２内に入って、ノズル１３４から外に噴霧することが可能になる。アクチュエータ１３２が解除されると、ばね１２２によって弁軸１２６は、開口１２８がガスケット１３０により遮断される位置に押しやられて、エアロゾル弁を閉鎖し、内容物１０６が、噴射剤からの圧力下で弁軸に進入するのを防止する。したがってノズル１３４は、噴射剤と、この噴射剤により噴射される珪藻土１０８とをリザーバ１０４から制御可能に放出することができる。
【００４１】
Ｂ．珪藻土製品
非常に数多くのタイプの珪藻土が入手可能であり、例えば、珪藻土に関与する珪藻のサイズ、形状、および種類が様々である。
【００４２】
１．セラトム（商標）ＭＮ−５１
いくつかの実施形態における珪藻土１０８は、EP Minerals, LLC、9785 Gateway Drive、Suite 1000、リノ、ネバダ州、米国から入手可能なセラトム（商標）ＭＮ−５１を含んでいてもよい。セラトム（商標）ＭＮ−５１として既知の珪藻土は、米国ネバダ州クラークステーション（Clark Station）の淡水珪藻から形成された堆積物由来であり、かつ例えば約９００°Ｆ（約４８０℃）または他の温度で熱処理またはフラッシュ乾燥することができる、食品グレードの珪藻土であると考えられる。一実施形態において、珪藻土のフラッシュ乾燥では、珪藻土を約９００°Ｆ（約４８０℃）で約１５秒間加熱する。
【００４３】
図２から図５は、セラトム（商標）ＭＮ−５１として既知の珪藻土の二次電子画像（蒸着金でのコーティング後にフィリップスＸＬ−３０走査型電子顕微鏡を使用）である。図３から図５のスケールバーは、それらの図で３０マイクロメートルを表す。
【００４４】
セラトム（商標）ＭＮ−５１として既知の珪藻土は、下記の表１に示される性質を有すると考えられる。
【００４５】
【表１】
2015500634.tif 000007
【００４６】
セラトム（商標）ＭＮ−５１として既知の珪藻土のサンプルは、振動式マックローン微細化ミル（vibratory McCrone Micronising Mill）においてエタノール中で７分間粉砕することにより、定量Ｘ線分析ではそのサイズが１０マイクロメートル未満に低減した。ステップ走査Ｘ線粉末回折データを、Ｆｅモノクロメーター箔、０．６ｍｍ（０．３°）発散スリット、入射ビームおよび回折ビームソーラスリット（diffracted-beam Soller slits）、およびＬｙｎｘＥｙｅ検出器を備えたBruker D8 Focus Bragg-Brentano回折計で、ＣｏＫａ放射線を用い、３〜８０°の２θの範囲で収集した。長い微小焦点Ｃｏ Ｘ線管を、取り出し角度６°を使用して３５ｋＶおよび４０ｍＡで作動させた。
【００４７】
Ｘ線ディフラクトグラムを、International Centre for Diffraction Database PDF-4およびシーメンス（ブルカー）によるSearch-Matchソフトウェアを使用して分析した。サンプルのＸ線粉末回折データを、リートベルトプログラムTopas 4.2(Bruker AXS)により、精密化した（refined）。図６は、セラトム（商標）ＭＮ−５１として既知の珪藻土のリートベルト精密化プロット（Rietveld refinement plot）である。図６は、各ステップで観察された強度および計算されたパターンを示し、グラフの下の線は、観察された強度と計算された強度との差を示す。グラフの他の線は、全ての相の個々の回折パターンを示し、縦棒は全てのブラッグ反射の位置を表す。図６に示される量は、非晶質がない状態に再正規化される。サンプルは、豊富なモンモリロナイトを含有していたが、これは積み重ねの無秩序を示しており、したがって結晶構造は予測可能ではない。この相について説明するために、経験的モデルを使用した。さらに、非晶質シリカの関与を、ピーク相およびその推定される量でモデル化した。結果は、半定量的と見なすことができ、以下の表２に示す。
【００４８】
【表２】
2015500634.tif 000008
【００４９】
セラトム（商標）ＭＮ−５１として既知の珪藻土のサンプルの粒度を、水分散体中でマスターサイザー（商標）２０００により測定したが、図７は、セラトム（商標）ＭＮ−５１として既知の珪藻土の粒度分布のグラフである。
【００５０】
２．セラトム（商標）ＭＮ−５３
代替の実施形態では、珪藻土は、EP Minerals, LLC、9785 Gateway Drive、Suite 1000、リノ、ネバダ州、米国から同様に入手可能なセラトム（商標）ＭＮ−５３として既知の珪藻土を含んでいてもよい。図８は、セラトム（商標）ＭＮ−５３として既知の珪藻土の二次電子画像（蒸着金でのコーティング後にフィリップスＸＬ−３０走査型電子顕微鏡を使用）である。セラトム（商標）ＭＮ−５３として既知の珪藻土は、下記の表３に示される性質を有すると考えられる。
【００５１】
【表３】
2015500634.tif 000009
【００５２】
図９は、図６に関して既に述べたように得られた、セラトム（商標）ＭＮ−５３として既知の珪藻土のリートベルト精密化プロットである。図９は、各ステップで観察された強度および計算されたパターンを示し、グラフの下の線は、観察された強度と計算された強度との差を示す。グラフの他の線は、全ての相の個々の回折パターンを示し、縦棒は、全てのブラッグ反射の位置を表す。図９に示される量は、非晶質がない状態に再正規化される。リートベルト精密化によるセラトム（商標）ＭＮ−５３の相分析の結果を、以下の表４に示す。
【００５３】
【表４】
2015500634.tif 000010
【００５４】
３．アルパイン（Alpine）（商標）ダスト（Dust）
図１０は、米国ミズーリ州セントルイスのWhitmire Micro-Gen Research Laboratories, Inc.から得られたアルパイン（商標）ダスト（「Prescription Treatment Brand」）として既知の珪藻土の二次電子画像（蒸着金でのコーティング後にフィリップスＸＬ−３０走査型電子顕微鏡を使用）であり、図１１は、図６に関して既に述べたように得られた、アルパイン（商標）ダストとして既知の珪藻土のリートベルト精密化プロットである。図１１は、各ステップで観察された強度および計算されたパターンを示し、グラフの下の線は、観察された強度と計算された強度との差を示す。グラフの他の線は、全ての相の個々の回折パターンを示し、縦棒は、全てのブラッグ反射の位置を表す。図１１に示される量は、非晶質がない状態に再正規化される。リートベルト精密化によるアルパイン（商標）ダストの相分析の結果を、以下の表５に示す。
【００５５】
【表５】
2015500634.tif 000011
【００５６】
４．マザーアース（商標）Ｄ
図１２は、米国ミズーリ州セントルイスのWhitmire Micro-Gen Research Laboratories, Inc.から得られたマザーアース（商標）Ｄとして既知の珪藻土の二次電子画像（蒸着金でのコーティング後にフィリップスＸＬ−３０走査型電子顕微鏡を使用）であり、図１３は、図６に関して既に述べたように得られた、マザーアース（商標）Ｄとして既知の珪藻土のリートベルト精密化プロットである。図１３は、各ステップで観察された強度および計算されたパターンを示し、グラフの下の線は、観察された強度と計算された強度との差を示す。グラフの他の線は、全ての相の個々の回折パターンを示し、縦棒は、全てのブラッグ反射の位置を表す。図１３に示される量は、非晶質がない状態に再正規化される。リートベルト精密化によるマザーアース（商標）Ｄの相分析の結果を、以下の表６に示す。
【００５７】
【表６】
2015500634.tif 000012
【００５８】
マザーアース（商標）Ｄとして既知の珪藻土のサンプルの粒度を、水分散体中でマスターサイザー（Mastersizer）（商標）２０００により測定したが、図１４は、マザーアース（商標）Ｄとして既知の珪藻土の粒度分布のグラフである。
【００５９】
５．プロアクティブ（商標）
図１５から図１７は、英国イースト・サセックス州ヘイルシャムのPest Control Direct Ltd.から得られたプロアクティブ（商標）として既知の珪藻土の二次電子画像（蒸着金でのコーティング後にフィリップスＸＬ−３０走査型電子顕微鏡を使用）であり、図１８は、図６に関して既に述べたように得られた、プロアクティブ（商標）として既知の珪藻土のリートベルト精密化プロットである。図１８は、各ステップで観察された強度および計算されたパターンを示し、グラフの下の線は、観察された強度と計算された強度との差を示す。グラフの他の線は、全ての相の個々の回折パターンを示し、縦棒は、全てのブラッグ反射の位置を表す。図１８に示される量は、非晶質がない状態に再正規化される。リートベルト精密化によるプロアクティブ（商標）の相分析の結果を、以下の表７に示す。
【００６０】
【表７】
2015500634.tif 000013
【００６１】
Ｃ．実験
実験＃１
ある実験（実験＃１）では、それぞれが直径約５．０ｃｍまたは約２．０インチの、ゲルマンサイエンシーズ（Gelman Sciences）（商標）から入手可能な小さいプラスチックのペトリ皿を、バイオアッセイで使用した。直径約１．５ｃｍ（または約０．６インチ）の小さい開口を蓋に切り込み、１片のガーゼで閉鎖して、空気を通してトコジラミが呼吸できるようにした。ペトリ皿に、直径約４．２５ｃｍ（または約１．７インチ）の濾紙で裏張りした。珪藻土を計量し、鉗子で濾紙全面に均一に塗り拡げた。野外で収集された、１０匹の成虫である一般的なトコジラミ（ナンキンムシ）を、ペトリ皿のそれぞれに導入し、蓋をその上に置いて、トコジラミが逃げないようにした。箱の中の湿度を維持するために水が噴霧されたペーパータオルで裏張りされたプラスチックの箱に、ペトリ皿を移した。実験を室温で実施し、トコジラミがペトリ皿に導入されてから２４、４８、７２、および９６時間後に死亡率を書き留めた。約０．５ミリグラム（「ｍｇ」）から約２．０ｍｇの間の４つの濃度を使用して、各製品に関し、トコジラミの５０％が死滅するのに十分な最低致死濃度（「ＬＣ５０」）を計算した。それぞれトコジラミ１０匹ごとに１回のレプリケーションが行われた。
【００６２】
以下の表８および表９は、実験＃１の死亡率データを示し、「Ｌ」は、表中に示される該当時間後にまだ生きているトコジラミの数を指し、「Ｄ」は、所与の時間後に死んだ数を指す。
【００６３】
【表８】
2015500634.tif 000014
【００６４】
【表９】
2015500634.tif 000015
【００６５】
トコジラミの全ては、４８時間後に、セラトム（商標）ＭＮ−５１珪藻土中で死んだ。したがってセラトム（商標）ＭＮ−５１に関するＬＣ５０は４８時間に関してのみ計算し、セラトム（商標）ＭＮ−５１に関する４８時間後のＬＣ５０は０．７ｍｇと計算された。セラトム（商標）ＭＮ−５３に関する４８時間後のデータは、計算値に関しては良好でなく、したがってセラトム（商標）ＭＮ−５３に関するＬＣ５０は、９６時間後に０．８ｍｇと計算された（０．５５２〜１．０５２）。
【００６６】
実験＃２
別の実験（「実験＃２」）では、セラトム（商標）ＭＮ−５１の死亡率を、アルパイン（商標）ダスト、マザーアース（商標）Ｄ、およびプロアクティブ（商標）として既知の珪藻土製品と比較した。様々な製品を、小さい濾紙上に鉗子で付着させ、計量し、次いでペトリ皿（直径約５．０ｃｍまたは約２インチ）に置いた。一般的なトコジラミ（ナンキンムシ）を様々なペトリ皿に導入し、２４時間後と４８時間後にペトリ皿のそれぞれにおいて死亡率を評価した。各製品について４つから５つの濃度を使用し、その濃度は０．２５ｍｇから６ｍｇに及ぶものであり、各レプリケーションにおいて、９匹から１１匹の間のトコジラミ（成虫または終齢若虫）に関して３つのレプリケーションを行った。プロビット分析を使用して、下記の表１０に示されるように、ＬＣ５０およびＬＣ９５（トコジラミの９５％を死滅させるのに十分な最低致死濃度）値と、ＬＣ５０およびＬＣ９５値に関する９５％の信頼区間（「ＣＩ」）を計算した。
【００６７】
【表１０】
2015500634.tif 000016
【００６８】
実験＃３
別の実験（「実験＃３」）では、６枚のペトリ皿（それぞれ直径が約５．０ｃｍまたは約２．０インチ）に、図１に示した噴霧装置１００に類似する装置を使用してセラトム（商標）ＭＮ−５１を含むエアロゾルを噴霧し、セラトム（商標）ＭＮ−５１の薄いコーティングを乾燥後に残し、それら６枚のペトリ皿を、実験群に使用した。追加のペトリ皿（それぞれ直径が５．０ｃｍまたは約２．０インチ）は、エアロゾルまたは珪藻土を受容せず、それら６枚のペトリ皿を対照群に使用した。５匹の成虫の一般的なトコジラミ（ナンキンムシ）を、鉗子で、１２枚のペトリ皿のそれぞれに導入し、蓋を適用してトコジラミが逃げないようにした。死亡率を、トコジラミがペトリ皿に導入されてから３、１５、１８、および２４時間後に評価し、対照群においては死亡率が存在しなかった。実験群における死亡率を、下記の表１１に示す。
【００６９】
【表１１】
2015500634.tif 000017
【００７０】
このように実験＃３では、セラトム（商標）ＭＮ−５１を含むエアロゾルに曝されたトコジラミの全てが２４時間以内に死に、それに対して対照群のトコジラミには、２４時間以内に死んだものはなかった。
【００７１】
実験＃４
別の実験（「実験＃４」）では、プラスチックのラバーメイド（RUBBERMAID）（商標）半透明ボックス（約７３．６ｃｍ×約４５．７ｃｍ×約３３．７ｃｍ、または約２９インチ×約１８インチ×約１３．３インチ）を用い、より詳細には、２つのそのような箱を実験用の箱として、かつ２つのそのような箱を対照用の箱として用いた。実験用の箱のそれぞれの中心の、幅約２０ｃｍ（または約７．９インチ）のセクションに、セラトム（商標）ＭＮ−５１を含むエアロゾルを噴霧し、乾燥させた。野外で収集された１片のシート（約５０ｃｍ×約２４ｃｍ、または約１９．７インチ×約７．９インチ）を、箱のそれぞれの一面に裏張りし、刺激物として使用した。シートは、トコジラミが蔓延している家庭から収集され、卵および多くの育ったばかりのトコジラミを有するが、トコジラミは、シートの小片を箱の内部に置く前にシートから収集した。野外で収集されたシートの小片の反対側の、箱の面を、クリーンな新しい布の小片で裏張りした。５０匹の成虫の一般的なトコジラミ（ナンキンムシ）を、各箱のクリーンな布の上に導入し、次いで箱に蓋をした。対照の箱は、実験用の箱に類似していたが、エアロゾルを含んでいなかった。
【００７２】
４つの箱全てにおいて、トコジラミは、クリーンな布を有する箱の面から、野外で収集されたシートの小片を有する箱の面へと移動した。４８時間後に対照の箱において死亡率は存在しなかったが、２４時間後、実験用の箱の１つは、５０匹のトコジラミのうち４３匹という死亡率を有し、他の実験用の箱は、５０匹のトコジラミのうち４５匹という死亡率を有していた。実験用の箱のトコジラミの全ては、４８時間後に死んだ。トコジラミは、その背中を下にして死ぬことが見出され、エアロゾルの製品が散布されていた。
【００７３】
実験＃５
別の実験（「実験＃５」）は、１００匹の一般的なトコジラミ（ナンキンムシ）を実験＃４で記述したようにクリーンな布の小片上に導入したこと以外、実験＃４と同じであった。昆虫は、やはり、全ての場合に箱の１つの面から他の面に移動した。対照の箱に死亡率は存在せず、それに対して１８時間後、実験用の箱の１つで９９匹のトコジラミが死に、他の実験用の箱の１つでは９８匹のトコジラミが死んだ。両方の実験用の箱のトコジラミの全ては、２４時間後に死んだ。
【００７４】
実験＃６
１つの実験（実験＃６）では、珪藻土１．５ｍｇを１片の濾紙上に置いた。１匹の成虫である一般的なトコジラミ（ナンキンムシ）（「踏み付けられたトコジラミ」）を、鉗子を使用して濾紙上に導入することにより散布した。次いで処理済みのトコジラミを、４匹の未処理の成虫である一般的なトコジラミ（ナンキンムシ）が入っているペトリ皿（直径約５．０ｃｍまたは約２．０インチ）に導入した。セラトム（商標）ＭＮ−５１とマザーアース（商標）Ｄの両方の珪藻土を、この方法を使用して試験した。対照のペトリ皿には５匹のトコジラミが入っており、珪藻土が散布されたものはなかった。それぞれ５匹のトコジラミで６つのレプリケーションを行った。ペトリ皿を、蓋付きのプラスチックの箱の中に置き、死亡率を２４時間後、４８時間後、および９６時間後に評価した。以下の表１２は、２４時間後、４８時間後、および９６時間後に、セラトム（商標）ＭＮ−５１、マザーアース（商標）Ｄ、および対照のペトリ皿に関する６つのレプリケーションのそれぞれで死んだトコジラミの数を示す。
【００７５】
【表１２】
2015500634.tif 000018
【００７６】
実験＃７
別の実験（実験＃７）では、セラトム（商標）ＭＮ−５１またはマザーアース（商標）Ｄのいずれかの珪藻土２．０ｍｇを、BioQuip Products Inc.、Rancho Dominguez、California、米国から得られた発光性粉末キット＃１１６２Ａの赤色蛍光ダストと混合し、１片の濾紙上に置いた。１匹の成虫である一般的なトコジラミ（ナンキンムシ）を、鉗子を使用して濾紙上に導入することにより、散布した。次いで散布されたトコジラミを、４匹の未処理の成虫である一般的なトコジラミ（ナンキンムシ）が入っているペトリ皿（直径約５．０ｃｍまたは約２．０インチ）に導入した。次いで全てのペトリ皿を、蓋付きのプラスチックの箱の中に置いた。対照のペトリ皿には、５匹の成虫である一般的なトコジラミ（ナンキンムシ）を入れ、そのいずれにも珪藻土を散布しなかった。各条件で３つのレプリケーションがあり、１６時間後に死亡率を評価した。死亡率のデータを下記の表１３に示す。
【００７７】
【表１３】
2015500634.tif 000019
【００７８】
蛍光色素を、珪藻土に直接接触していないトコジラミに関して視覚的に観察したが、そのようなトコジラミは、珪藻土に直接接触しているトコジラミに接触することによって、珪藻土に接触することを示唆している。
【００７９】
実験＃８
別の実験（「実験＃８」）では、珪藻土ダストを濾紙（フィッシャ（Fisher）（商標）銘柄、直径約５．５ｃｍまたは約２．２インチ）上に計り取った。濾紙を約３または４回振って過剰なダストを除去し、再び計量して、濾紙上に残された珪藻土を測定した。以下の表１４は、振る前のダストの重量、振った後に残されたダストの重量、振る前のダストの重量と振った後のダストの重量との差として示される、振ることによって失われた量を示す。
【００８０】
【表１４】
2015500634.tif 000020
【００８１】
同様に、濾紙を計量し、エアロゾルを噴霧し、乾燥し、再び計量して、珪藻土残渣を測定した。試験をした各珪藻土サンプルに関して３つのレプリケーションが存在した。下記の表１５は、珪藻土と共にエアロゾルを噴霧する前後での濾紙の重量と、噴霧により添加された珪藻土の量を示す。
【００８２】
【表１５】
2015500634.tif 000021
【００８３】
実験＃９
別の実験（「実験＃９」）では、セラトム（商標）ＭＮ−５１のサンプルをサイズ分離して、そのサイズが約１１マイクロメートル未満の粒子である、より小さいサイズの画分と、そのサイズが約１１マイクロメートルよりも大きい粒子である、より大きいサイズの画分と、に分離した。セラトム（商標）ＭＮ−５１サンプルは遠心分離によってサイズ分離したが、セラトム（商標）ＭＮ−５１の一部の粒子は非球形であるので、１１マイクロメートルは近似分離サイズであり、例えばより小さいサイズの画分は、１１マイクロメートルよりも長い、細長い粒子を含んでいてもよい。一般に本明細書では、「サイズが約１１マイクロメートル未満の、より小さいサイズの画分の粒子」は、いくつかの実施形態において、１１マイクロメートルよりも長い、細長い粒子を含んでいてもよい、遠心分離によるサイズ分離で得られた、より小さいサイズの画分を含んでもよい。
【００８４】
サイズ分離粉末を、蒸着金でのコーティング後にフィリップスＸＬ−３０走査型電子顕微鏡を使用して検査した。図１９は、より小さい画分（サイズが約１１マイクロメートル未満の粒子）の走査型電子顕微鏡画像であり、図２０は、より大きいサイズの画分（サイズが約１１マイクロメートルよりも大きい粒子）の走査型電子顕微鏡画像である。図１９のスケールバーは、３０マイクロメートルを表し、それに対して図２０のスケールバーは１２０マイクロメートルを表す。セラトム（商標）ＭＮ−５１のオリジナルのサンプルは、より大きいサイズの画分（サイズが約１１マイクロメートルよりも大きい粒子）がサンプルから除去された後、その重量が約３０％低減した。
【００８５】
セラトム（商標）ＭＮ−５１の、より小さいサイズの画分と、セラトム（商標）ＭＮ−５１の、より大きいサイズの画分の、トコジラミに対する効力を、それぞれ８匹の成虫である一般的なトコジラミ（ナンキンムシ）について３つのレプリケーションで測定し、即ち合計で２４匹の導入されたトコジラミについて測定した。サンプルを計量し、ペトリ皿の濾紙上に塗り拡げ、次いでトコジラミを導入した。死亡率を、２４時間後および４８時間後に評価した。下記の表１６は、セラトム（商標）ＭＮ−５１の、より小さいサイズの画分およびセラトム（商標）ＭＮ−５１の、より大きいサイズの画分１、２、４、および８ｍｇに曝した場合に２４時間後および４８時間後に死滅した、最初に導入された２４匹のトコジラミの数を示す。
【００８６】
【表１６】
2015500634.tif 000022
【００８７】
上記データから、ＬＣ５０を、下記の表１７に示されるように計算することができる。表１７は、括弧内にＬＣ５０の信頼区間も示しており、ここでは信頼区間も計算された。
【００８８】
【表１７】
2015500634.tif 000023
【００８９】
Ｄ．実験と珪藻土の使用の考察
一般に、かついかなる理論にも縛られるものではないが、珪藻土は、外骨格を有する動物の外骨格に損傷を与える可能性があり、その損傷によって動物の脱水および死をもたらすと考えられる。したがって、珪藻土および例えば本明細書に記述される噴霧装置１００などの様々な装置は、節足動物、クモ類、昆虫、およびトコジラミを含めた外骨格を有する動物の１種または複数の個体数を抑制するのに効果的になり得ると考えられる。ここで「トコジラミ」は、例えば、一般的なトコジラミ（ナンキンムシ）を指してもよく、またはより一般的にはキメクス属を指してもよく、またはさらにより一般的にはトコジラミ科を指してもよい。他の実施形態において珪藻土によって抑制され得る動物の個体群には、ゴキブリ、アリ、ノミ、および他の害虫を含めてもよい。ここで動物の個体数の「抑制」は、様々な実施形態では、そのような個体群を発見する前にそのような個体群の成長または生存を防止すること、およびそのような個体群を発見した後にそのような個体群の１つまたは複数のメンバーを死滅させることも含んでいてもよい。
【００９０】
同様にいかなる理論にも縛られるものではないが、珪藻土は、さらにまたは代わりに、トコジラミの外骨格の気門を遮断しまたは他の手法で妨害することができ、それによってトコジラミの気管への空気の通過が低減しまたはなくなり、おそらくはトコジラミが窒息すると考えられる。
【００９１】
実験＃１は、４８時間後のセラトム（商標）ＭＮ−５１のＬＣ５０が、９６時間後のセラトム（商標）ＭＮ−５３のＬＣ５０よりも少なくまたは同等であることを示すようである。言い換えれば、実験＃１からは、セラトム（商標）ＭＮ−５１が、９６時間でのセラトム（商標）ＭＮ−５３の死滅数と少なくとも同程度に多いトコジラミを、４８時間で死滅させるようである。また実験＃２は、セラトム（商標）ＭＮ−５１に関する２４時間後のＬＣ５０およびＬＣ９５が、それらのＬＣ５０およびＬＣ９５値の信頼区間が重ならないので、アルパイン（商標）ダストおよびプロアクティブ（商標）に関する２４時間後のＬＣ５０およびＬＣ９５よりも著しく少ないことを示すようである。さらに実験＃２から、セラトム（商標）ＭＮ−５１は、４８時間でのアルパイン（商標）ダストによる死滅数よりも著しく多くのトコジラミを、２４時間で死滅させるようである。したがって実験＃１および実験＃２は、トコジラミを死滅させるのに、したがってトコジラミの個体数を抑制するのに、セラトム（商標）ＭＮ−５３、アルパイン（商標）ダスト、およびプロアクティブ（商標）よりも、セラトム（商標）ＭＮ−５１が効果的であることを示すようである。
【００９２】
実験＃２は、セラトム（商標）ＭＮ−５１に関する２４時間後のＬＣ５０およびＬＣ９５は、マザーアース（商標）Ｄに関する２４時間後のＬＣ５０およびＬＣ９５よりも低いが、それらＬＣ５０およびＬＣ９５値に関する信頼区間は重なっていることを示すようである。したがって実験＃２によれば、セラトム（商標）ＭＮ−５１は、トコジラミを死滅させるのに、したがってトコジラミの個体数を抑制するのに、マザーアース（商標）Ｄよりも効果的であるが、信頼区間の重なりはいくらか不確実に上昇すると考えられる。しかしながら、実験＃６は、１匹のトコジラミがセラトム（商標）ＭＮ−５１に接触した場合、その１匹のトコジラミがセラトム（商標）ＭＮ−５１を他のトコジラミに移すことによって、他のトコジラミを死滅させる際にマザーアース（商標）Ｄの場合よりも一般にさらに効果的であることを示すようである。トコジラミは、珪藻土に短時間曝された場合であっても珪藻土を拾うと思われるので（例えば、実験＃４および実験＃５のように、セラトム（商標）ＭＮ−５１で処理された領域を横断することによって）、トコジラミは、珪藻土を他のトコジラミに渡すと思われるので（実験＃６および実験＃７参照）、およびセラトム（商標）ＭＮ−５１は、珪藻土を１匹のトコジラミから他のトコジラミに移すことによってトコジラミを死滅させるのにマザーアース（商標）Ｄよりも効果的であると思われるので（実験＃６参照）、セラトム（商標）ＭＮ−５１は全体として、トコジラミの個体数を抑制するのにマザーアース（商標）Ｄよりも効果的となり得ると考えられる。
【００９３】
前述の内容に鑑み、セラトム（商標）ＭＮ−５１は、トコジラミの個体数を抑制するのに、上述の他の珪藻土製品よりも効果的になり得ると考えられる。
【００９４】
上述のように、異なる昆虫種は、異なるタイプの珪藻土により著しく異なった状態で影響を受ける可能性のある、異なる体部を有する。いかなる理論にも縛られるものではないが、セラトム（商標）ＭＮ−５１のいくつかの特徴は、他の様々な珪藻土と比べた場合、セラトム（商標）ＭＮ−５１の有効性を増大し得ると考えられる。例えばセラトム（商標）ＭＮ−５１のいくつかの特徴は、珪藻土が１匹のトコジラミから別のトコジラミに移る可能性を増大させることができ、それによって、実験＃６に示されるマザーアース（商標）Ｄと比べた場合、トコジラミの個体数を抑制する際に明らかにセラトム（商標）ＭＮ−５１の有効性が増大する。
【００９５】
実験＃９では、セラトム（商標）ＭＮ−５１のサンプルは、より小さいサイズの画分とより大きいサイズの画分とに分離され、実験＃９は、トコジラミを死滅させるのに、より小さいサイズの画分が、より大きいサイズの画分よりも著しく効果的であったことを示すようである。図１７は、より小さいサイズの画分中の、細粒状の破壊された珪藻被殻を示す。より大きい粒は存在せず、およそ数十マイクロメートルの破壊された珪藻被殻の凝集体がある。対照的に、図２０は、より大きいサイズの画分中にある、そのサイズが長さ数十マイクロメートルから約１００マイクロメートルに及ぶ粒を示す。図２０中の多くの粒は、珪藻材料ではなく鉱物性の粒であるようである。したがって実験＃９は、セラトム（商標）ＭＮ−５１の珪藻被殻がセラトム（商標）ＭＮ−５１の他の成分よりも、トコジラミを死滅させるのに効果的であることを示すようである。
【００９６】
図２から図５に示されるように、セラトム（商標）ＭＮ−５１の粒子の一部は、約３マイクロメートル未満または約５マイクロメートル未満の幅と約２０マイクロメートル超または約３０マイクロメートル超の長さとを有する被殻、を有する珪藻の遺物のようである。そのような珪藻は、フラギラリア（Fragilaria）、タブラリア（Tabularia）、もしくはシネドラ（Synedra）、またはフラギラリア、タブラリア、もしくはシネドラに類似したサイズおよび形状を有する絶滅種である可能性があると考えられる。より一般的には、そのような珪藻は、フラギラリア科（Fragilariaceae）であってもよく、またはより一般的にはフラギラリア目（Fragilariales）、またはより一般的にはオビケイソウ綱（Fragilariophyceae）、またはより一般的には羽状珪藻、またはフラギラリア科、フラギラリア目、オビケイソウ綱、もしくは羽状珪藻に類似したサイズおよび形状を有する絶滅種である可能性があると考えられる。ここで、いくつかの実施形態において「フラギラリア」、「タブラリア」、「シネドラ」、「フラギラリア科」、「フラギラリア目」、「オビケイソウ綱」、または「羽状」珪藻という表現は、そのような名称により既知の現存種に加えて、それぞれフラギラリア、タブラリア、シネドラ、フラギラリア科、フラギラリア目、オビケイソウ綱、または羽状珪藻に類似したサイズおよび形状を有する絶滅種を含んでいてもよい。
【００９７】
セラトム（商標）ＭＮ−５１の珪藻被殻は、トコジラミを死滅させる際にセラトム（商標）ＭＮ−５１の他の成分よりも効果的であるようなので（実験＃９参照）、セラトム（商標）ＭＮ−５１は、トコジラミの個体数を抑制するのに上述の他の珪藻土製品よりも効果的であるようなので（実験＃１、実験＃２、および実験＃６参照）、さらにセラトム（商標）ＭＮ−５１は、約３マイクロメートル未満または約５マイクロメートル未満の幅と約２０マイクロメートル超または約３０マイクロメートル超の長さとを有する被殻、を有する珪藻の遺物、フラギラリアの遺物、タブラリアの遺物、シネドラの遺物、フラギラリア科の遺物、フラギラリア目の遺物、オビケイソウ綱の遺物、および羽状珪藻の遺物の１種または複数を含むようなので、いかなる理論にも縛られるものではないが、約３マイクロメートル未満または約５マイクロメートル未満の幅と約２０マイクロメートル超または約３０マイクロメートル超の長さとを有する被殻、を有する珪藻の遺物、フラギラリアの遺物、タブラリアの遺物、シネドラの遺物、フラギラリア科の遺物、フラギラリア目の遺物、オビケイソウ綱の遺物、および羽状珪藻の遺物の１種または複数は、トコジラミの個体数を抑制するのに他の珪藻遺物よりも効果的になり得ると考えられる。同様にいかなる理論にも縛られるものではないが、そのような珪藻遺物は他の珪藻遺物よりも鋭くなる可能性があり、したがってトコジラミの外骨格などの外骨格を穿刺しまたは他の手法で損傷を及ぼす可能性が高いと考えられる。
【００９８】
やはりいかなる理論にも縛られるものではないが、例えば約３マイクロメートル未満または約５マイクロメートル未満の幅と約２０マイクロメートル超または約３０マイクロメートル超の長さとを有する被殻、を有する珪藻の遺物、フラギラリアの遺物、タブラリアの遺物、シネドラの遺物、フラギラリア科の遺物、フラギラリア目の遺物、オビケイソウ綱の遺物、および羽状珪藻の遺物の１種または複数のような、セラトム（商標）ＭＮ−５１中の一部の粒子サイズおよび形状は、トコジラミの外骨格の気門を遮断しまたはその他の手法で妨げることができ、それによって、他のタイプの珪藻土よりも効果的に、トコジラミの気管への空気の通過が低減しまたはなくなり、おそらくはトコジラミが窒息すると考えられる。
【００９９】
同様にいかなる理論にも縛られるものではないが、いくつかの実施形態では、セラトム（商標）ＭＮ−５１の熱処理またはフラッシュ乾燥が、珪藻土の特徴をより粗い状態に変化させる可能性があり、したがって動物の外骨格に、より特別には昆虫の外骨格にまたはトコジラミの外骨格に損傷を与え易くなり、そのような熱処理またはフラッシュ乾燥は珪藻土を完全に乾燥させることもでき、それによって珪藻土を、より高い吸収性があるものにして、動物またはトコジラミなどの昆虫を脱水させ死滅させることができ、本明細書に記述される様々な実施形態を含めた様々な実施形態でおそらくはより効果的になると考えられる。
【０１００】
セラトム（商標）ＭＮ−５１について上記にて論じてきたが、いくつかの実施形態は、他の供給元から供給することができるが、セラトム（商標）ＭＮ−５１のいくつかの特徴を含むことができ、したがってセラトム（商標）ＭＮ−５１の有効性に類似した有効性を有することができる、代替のタイプの珪藻土を含んでいてもよい。また、一般に、いくつかの実施形態におけるそのような代替のタイプの珪藻土は、約３マイクロメートル未満または約５マイクロメートル未満の幅と約２０マイクロメートル超または約３０マイクロメートル超の長さとを有する被殻、を有する珪藻の遺物、フラギラリアの遺物、タブラリアの遺物、シネドラの遺物、フラギラリア科の遺物、フラギラリア目の遺物、オビケイソウ綱の遺物、および羽状珪藻の遺物の１種または複数を含んでいてもよい。さらにまたは代わりに、いくつかの実施形態におけるそのような代替のタイプの珪藻土は、熱処理されまたはフラッシュ乾燥された珪藻土であってもよく、例えば約４８０℃で約１５秒間フラッシュ乾燥された珪藻土などであり、またはより一般的には変性させた珪藻土であってもよい。そのような代替のタイプの珪藻土は、例えば米国ネバダ州クラークステーションの堆積物などの、淡水珪藻から形成された堆積物中に見出された他のタイプの珪藻土を含んでいてもよい。より一般的には、そのような代替のタイプの珪藻土は、上述のセラトム（商標）ＭＮ−５１の効果に類似し得る効果を実現するために、表１および表２に列挙されたセラトム（商標）ＭＮ−５１の性質の１つまたは複数に類似した１つまたは複数の性質を有していてもよい。
【０１０１】
実験＃９は、より小さいサイズの画分が、トコジラミを死滅させる際に、より大きいサイズの画分よりも著しく効果的であったことを示すようなので、代替の実施形態は、珪藻土そのものの代わりに、サイズ分離された珪藻土（size-separated diatomaceous earth）の、より小さいサイズの画分（smaller size fraction）を含んでいてもよい。やはりいかなる理論にも縛られるものではないが、そのようなより小さいサイズの画分は、比較的より効果的な珪藻被殻遺物をより高い濃度で含んでいてもよいと考えられる。さらにまたは代わりに、やはりいかなる理論にも縛られるものではないが、そのようなより小さいサイズの画分は、トコジラミの外骨格の気門をさらに比較的効果的に遮断しまたは他の手法で妨げることができ、それによってトコジラミの気管への空気の通過が低減しまたはなくなり、おそらくはトコジラミが窒息すると考えられる。
【０１０２】
したがって様々な実施形態では、サイズ分離された珪藻土は、例えばセラトム（商標）ＭＮ−５１を含んでいてもよく、遠心分離によってサイズ分離された珪藻土を含んでいてもよい。さらに、いくつかの実施形態では、より小さいサイズの画分は、例えば約１１マイクロメートルなどの、分離サイズよりも小さい粒子を含んでいてもよくまたはそのような粒子からなるものであってもよい。珪藻土が遠心分離によってサイズ分離される実施形態では、より小さいサイズの画分が、分離サイズよりも長い細長い粒子を含むことができるように、非球形粒子をサイズ分離することができる。一般に、珪藻土をサイズ分離することによって、例えば図１に示される噴霧装置１００で使用されるような、昆虫の個体数を抑制するのに使用される珪藻土を調製することができる。
【０１０３】
実験＃３、実験＃４、および実験＃５は、珪藻土が噴霧された領域を横断するときにトコジラミが珪藻土に短時間接触するだけであっても（実験＃４および実験＃５参照）、例えば図１に示される噴霧装置１００などのエアロゾル製品から送出された珪藻土がトコジラミを死滅させるのに、したがってトコジラミの個体数を抑制するのに、効果的であることを示すようである。様々な実施形態では、そのような装置を使用する方法は、トコジラミまたは他の害虫を、例えば珪藻土を表面に噴霧し、噴射し、または他の手法で付着させることによって、珪藻土に曝すステップを含んでいてもよい。いくつかの実施形態では、１匹のトコジラミが珪藻土に接触する場合、トコジラミは、珪藻土を他のトコジラミに塗り拡げる可能性があり（実験＃６および実験＃７参照）、したがって１匹のトコジラミを珪藻土に接触させることによって、何匹かのトコジラミを死なせることができる。したがっていくつかの実施形態では、トコジラミを見つけ易い表面に珪藻土を噴霧し、噴射し、または他の手法で付着させるステップは、珪藻土を付着させた表面に接触しないトコジラミに対してさえも効果的と考えられる。
【０１０４】
さらに、実験＃８によれば、濾紙上に堆積したダストの量は、濾紙にエアロゾル配合物を噴霧することによって堆積された珪藻土の残渣よりも少なく計量された。やはりいかなる理論にも縛られるものではないが、おそらくエアロゾル製品から送出された珪藻土は、珪藻土ダストよりも高い接着性を有すると考えられる。したがって噴霧装置１００および代替の実施形態は、表面に珪藻土を付着させる他の方法と比べた場合、トコジラミの個体数をより長い期間にわたり抑制するために、より高い耐久性で、珪藻土をいくつかの表面（例えば家具の垂直または略垂直面など）に付着させることができる。
【０１０５】
やはりいかなる理論にも縛られるものではないが、おそらくはエアロゾル製品から送出された珪藻土は、図１に示される実施形態の本体１０２を振盪させることに応じたボールベアリングまたはビー玉１３６などによる破砕、エアロゾル缶内の剪断応力、エアロゾル缶内の乱流、およびエアロゾル缶の噴射剤からの比較的速い速度のうちの１つまたは複数がおそらくは原因で、例えばダストとして付着された珪藻土と比較した場合、破壊およびサイズ縮小され得ると考えられる。
【０１０６】
さらに噴霧装置１００および代替の実施形態は、珪藻土を表面に付着させる他の方法と比べた場合、そのような昆虫の個体数を抑制するのに、より都合良くまたは効果的であると考えられる。例えば噴霧装置１００および代替の実施形態は、珪藻土を表面に付着させる他の方法と比べた場合、珪藻土をより均等に表面に有利に付着させることができるが、それは噴射剤が、珪藻土のほぼ均等な噴霧を引き起こすことができるからである。いくつかの実施形態では、珪藻土のより均等な付着は、表面のかなりの面積を効果的に覆うことによって珪藻土の有効性を増大させることができ、珪藻土が高濃度である、より目立つ領域を避けることによって、表面の外観を改善することができる。さらに、噴霧装置１００および代替の実施形態によれば、使用者は、珪藻土を表面に付着させる他の方法で必要となり得るように、珪藻土を容器から個別のアプリケータ装置に移す必要なく、単一の装置から都合良く珪藻土を付着させることが可能になると考えられる。
【０１０７】
前述の内容に鑑み、噴霧装置１００のいくつかの実施形態および代替の実施形態は、トコジラミなどの昆虫の個体数を効果的に抑制できると考えられる。したがって、噴霧装置１００の実施形態および代替の実施形態の商業的使用では、例えば外骨格を有する動物、節足動物、クモ類、昆虫、およびトコジラミなどの、動物の個体数を抑制しようとする際に、そのような噴霧装置を流通させ、販売し、販売の申し出をし、配置し、または他の手法で使用することができる。
【０１０８】
２０１２年４月２６日にカナダのＰＣＴ受理官庁に出願した特許文献４は、内部に組み込まれた珪藻土、マメ科抽出物、またはその両方を含んでいる１つまたは複数の実質的に熱可塑性の本体を含んでいてもよいナイトスタンド、ドレッサ、ベッド、マットレス、およびヘッドボードなどの様々な家具装置について記述し例示しており、いくつかの実施形態によるそのような家具装置は、トコジラミおよび他の昆虫の個体数の抑制を支援することができる。したがって、噴霧装置１００の実施形態および代替の実施形態の商業的使用では、例えば外骨格を有する動物、節足動物、クモ類、昆虫、およびトコジラミなどの、動物の個体数を抑制しようとする際に、そのような家具装置と共にそのような噴霧装置を流通させ、販売し、販売の申し出をし、配置し、または他の手法で使用することもできる。
【０１０９】
２０１２年４月２６日にカナダのＰＣＴ受理官庁に出願した特許文献４に示されるように、家具装置のいくつかの実施形態では、１つまたは複数の内面を、黒または別の暗色で着色するなど、濃く着色してもよい。したがって例えば、噴霧装置１００の実施形態または代替の実施形態でそのような内面に珪藻土を付着させる場合、珪藻土のより明るい色によって、珪藻土をそのような表面でより容易に見えるようにすることができ、そのような表面でそのような製品が存在しないことの認識を容易にすることができる。したがって、いくつかの実施形態においてそのような濃く着色された内面は、そのような内面が噴霧されたのかまたは他の手法で珪藻土もしくは別のより明るい色の製品により処理されたのかを視覚的に判断するのを支援することができ、そのような視覚的判断は、様々な家具装置上にそのような珪藻土または他の製品が所望量あることを確実にするために、そのような珪藻土または他の製品をどこにいつ付着させるべきなのか決定するのを容易にすることができる。より一般的には、図１に示される噴霧装置１００の実施形態または代替の実施形態は、トコジラミが室内に導入され得る場合、部屋の占有者によってまたは占有者の所持品からトコジラミが導入され得るベッド、ドレッサ、またはサイドテーブルなどの表面に、あるいはトコジラミが移動し易いと考えられる他の表面に、珪藻土を付着させるのを容易にすることができる。
【０１１０】
珪藻土は天然の生成物であり、いくつかの実施形態では、天然の生成物は、人、他の生命体、またはより一般には環境に対して害が少なくなる可能性があるので、天然の生成物は、例えば合成駆除剤などの他の害虫を抑制する製品よりも好ましいと考えられる。前述の内容に鑑み、図１に示される噴霧装置１００および代替の実施形態は、トコジラミおよび他の昆虫の個体数を抑制する他の方法と比べた場合、有利とすることができる。
【０１１１】
特定の実施形態について説明するとともに図示してきたが、そのような実施形態は、単なる例示と見なすべきであり、添付される特許請求の範囲により解釈されるように、本発明を限定するものではない。
【符号の説明】
【０１１２】
１００  噴霧装置
１０２  本体
１０４  リザーバ
１０６  内容物
１０８  珪藻土
１１０  気相
１１２  液相
１１４  アルコール
１１６  エアロゾル弁アセンブリ
１１８  チューブ
１２０  弁ハウジング
１２２  コイルばね
１２４  弁本体
１２６  弁軸
１２８  開口
１３０  ガスケット
１３２  アクチュエータ
１３４  ノズル
１３６  ビー玉
【図１】
2015500634.tif 000024
【図２】
2015500634.tif 000025
【図３】
2015500634.tif 000026
【図４】
2015500634.tif 000027
【図５】
2015500634.tif 000028
【図８】
2015500634.tif 000029
【図１０】
2015500634.tif 000030
【図１２】
2015500634.tif 000031
【図１５】
2015500634.tif 000032
【図１６】
2015500634.tif 000033
【図１７】
2015500634.tif 000034
【図１９】
2015500634.tif 000035
【図２０】
2015500634.tif 000036
【図６】
2015500634.tif 000037
【図７】
2015500634.tif 000038
【図９】
2015500634.tif 000039
【図１１】
2015500634.tif 000040
【図１３】
2015500634.tif 000041
【図１４】
2015500634.tif 000042
【図１８】
2015500634.tif 000043
【手続補正書】
【提出日】平成26年7月25日(2014.7.25)
【手続補正１】
【補正対象書類名】明細書
【補正対象項目名】００６３
【補正方法】変更
【補正の内容】
【００６３】
【表８】
2015500634.tif 000044
【手続補正２】
【補正対象書類名】明細書
【補正対象項目名】００６４
【補正方法】変更
【補正の内容】
【００６４】
【表９】
2015500634.tif 000045
【国際調査報告】
2015500634.tif 000046
2015500634.tif 000047
2015500634.tif 000048